(57)【要約】本発明は、人間あるいは動物の血痕を検出するための合成物質に関するものである。上記合成物質は、ルミノール化合物と、酸化剤と、塩基とを含み、、好適な水溶液に希釈されている。上記合成物質は、−上記ルミノール化合物は、最終合成物質中に１〜２０ｍｍｏｌ／Ｌの濃度で含まれ、−上記酸化剤としての過酸化水素は、最終合成物質中に２５〜１００ｍｍｏｌ／Ｌの濃度で含まれ、−上記塩基としてのナトリウム化合物（ＮａＯＨ）は、最終合成物質中に２５ｍｍｏｌ／Ｌ〜５００ｍｍｏｌ／Ｌの濃度で含まれていることを特徴としている。さらに、また、本発明は、上記の合成物質を調製するためのキットと、人間あるいは動物の血痕を検出し、かつ、位置を特定する方法とに関するものでもある。【特許請求の範囲】
【請求項１】
人間あるいは動物の血痕を検出するための合成物質であって、好適な水溶液に希釈された、ルミノール化合物と、酸化剤と、塩基性物質とを含んでおり、
上記ルミノール化合物は、最終合成物質中に１〜２０ｍｍｏｌ／Ｌの濃度で含まれており、
上記酸化剤は、過酸化水素を用いるとともに、最終合成物質中に２５〜１００ｍｍｏｌ／Ｌの濃度で含まれており、
上記塩基性物質は、ナトリウム化合物、すなわちＮａＯＨを用いるとともに、最終合成物質中に２５ｍｍｏｌ／Ｌ〜５００ｍｍｏｌ／Ｌの濃度で含まれていることを特徴とする合成物質。
【請求項２】
上記ルミノール化合物は、ルミノール、ジエチルイソルミノール、アミノブチルエチルイソルミノールのいずれかより選択されていることを特徴とする請求項１に記載の合成物質。
【請求項３】
上記ナトリウム化合物（ＮａＯＨ）は、最終合成物質の中に２５〜１５０ｍｍｏｌ／Ｌの濃度で含まれていることを特徴とする請求項１あるいは請求項２に記載の合成物質。
【請求項４】
上記ナトリウム化合物（ＮａＯＨ）は、最終合成物質中に、２５〜５０ｍｍｏｌ／Ｌ、あるいは約９０ｍｍｏｌ／Ｌの濃度で含まれていることを特徴とする請求項１あるいは請求項２に記載の合成物質。
【請求項５】
上記水溶液は、水であり、かつ非炭酸水であることを特徴とする上記請求項１ないし４のいずれか１項に記載の合成物質。
【請求項６】
人間あるいは動物の血痕を検出するための請求項１ないし５の何れか１項に記載の合成物質の使用。
【請求項７】
狩猟場において動物の血痕を検出するための請求項３に記載の合成物質の使用。
【請求項８】
犯罪あるいは事故現場において、人間の血痕を検出するための請求項４に記載の合成物質の使用。
【請求項９】
請求項１ないし請求項５のいずれか１項に記載の合成物質を調製するための現場キットであって、
少なくとも１回分の適用量である１〜２０ｍｍｏｌのルミノール化合物が含まれている第１の容器と、
少なくとも１回分の適用量である２５〜１００ｍｍｏｌの過酸化水素が含まれている第２の容器と、
少なくとも１回分の適用量である２５〜５００ｍｍｏｌのナトリウム化合物（ＮａＯＨ）が含まれている第３の容器とを有していることを特徴とする現場キット。
【請求項１０】
ルミノール化合物としてルミノールが用いられており、当該ルミノールが、少なくとも１回分の適用量である１〜１０ｍｍｏｌ含まれている第１の容器と、
少なくとも１回分の適用量である２５〜１００ｍｍｏｌの過酸化水素が含まれている第２の容器と、
少なくとも１回分の適用量である２５〜１５０ｍｍｏｌのナトリウム化合物（ＮａＯＨ）が含まれている第３の容器とを有していることを特徴とする請求項９に記載の現場キット。
【請求項１１】
特に犯罪現場における、請求項９または請求項１０に記載の現場キットの使用であって、
少なくとも１回分の適用量である約５ｍｍｏｌを供給するのに十分な量のルミノール化合物が含まれている第１の容器と、
少なくとも１回分の適用量である約５０ｍｍｏｌの過酸化水素が含まれている第２の容器と、
少なくとも１回分の適用量である２５〜５０ｍｍｏｌのナトリウム化合物、すなわちＮａＯＨが含まれている第３の容器と有していることを特徴とする現場キットの使用。
【請求項１２】
請求項１ないし請求項５のいずれか１項に記載の合成物質を調製するための現場キットであって、
少なくとも１回分の適用量である１〜２０ｍｍｏｌを供給するのに十分な量の上記ルミノール化合物と、２５〜５００ｍｍｏｌのナトリウム化合物（ＮａＯＨ）あるいは２５〜１００ｍｍｏｌの過酸化水素とが、予め混合されて、固形の相溶形状となって含まれている第１の容器と、
上記第１の容器における混合に応じて、少なくとも１回分の適用量である２５〜１００ｍｍｏｌの過酸化水素あるいは２５〜５００ｍｍｏｌのナトリウム化合物が含まれている第２の容器とを有していることを特徴とする現場キット。
【請求項１３】
請求項３に記載の合成物質を調製するための現場キットであって、
少なくとも１回分の適用量である約５ｍｍｏｌを供給するのに十分な量のルミノール化合物と、２５〜１５０ｍｍｏｌのナトリウム化合物（ＮａＯＨ）あるいは５０ｍｍｏｌの過酸化水素とが、予め混合されて、固体の相溶形状となって含まれている第１の容器と、
上記第１の容器における混合に応じて、少なくとも１回分の適用量である５０ｍｍｏｌの過酸化水素あるいは２５〜１５０ｍｍｏｌのナトリウム化合物が含まれている第２の容器とを有していることを特徴とする現場キット。
【請求項１４】
請求項４に記載の合成物質を調製するための現場キットであって、
少なくとも１回分の適用量である約５ｍｍｏｌを供給するのに十分な量のルミノール化合物と、２５〜５０ｍｍｏｌあるいは９０ｍｍｏｌのナトリウム化合物（ＮａＯＨ）とが、もしくは、当該ルミノール化合物と、５０ｍｍｏｌの過酸化水素とが、予め混合されて、固形の相溶形状となって含まれている第１の容器と、
上記第１の容器における混合に応じて、少なくとも１回分の適用量である５０ｍｍｏｌの過酸化水素、もしくは、２５〜５０ｍｍｏｌあるいは９０ｍｍｏｌのナトリウム化合物（ＮａＯＨ）が含まれている第２の容器とを有していることを特徴とする現場キット。
【請求項１５】
上記第１および第２の容器は、プラスチック材あるいはガラスからなる再封可能な容器であることを特徴とする請求項９ないし請求項１４のいずれか１項に記載の現場キット。
【請求項１６】
上記の少なくとも１つの容器あるいは全ての容器が、少なくとも１つのブリスター包装内部に設けられた１つのくぼみによって形成されていることを特徴とする請求項９ないし請求項１４のいずれか１項に記載の現場キット。
【請求項１７】
請求項１ないし請求項５のいずれか１項に記載の合成物質を調製するための現場キットであって、
少なくとも３つのくぼみを有する少なくとも１つのブリスター包装を有し、
上記くぼみのうちの１つには、１回分の適用量である１〜２０ｍｍｏｌを供給するのに十分な量のルミノール化合物が含まれており、残りのくぼみのうちの１つには、１回分の適用量である２５〜５００ｍｍｏｌのナトリウム化合物（ＮａＯＨ）が含まれており、残った最後のくぼみには、１回分の適用量である２５〜１００ｍｍｏｌの過酸化水素が含まれていることを特徴とする現場キット。
【請求項１８】
請求項１ないし請求項５のいずれか１項に記載の合成物質を調製するための現場キットであって、以下の（１）あるいは（２）の構成を有していることを特徴とする現場キット。
（１）一方のくぼみに、１回分の適用量である１〜２０ｍｍｏｌを供給するのに十分な量のルミノール化合物と、２５〜５００ｍｍｏｌのナトリウム化合物ＮａＯＨとが、あるいは、当該ルミノール化合物と、２５〜１００ｍｍｏｌの過酸化水素とが、予め混合され、固形の相溶形状となって含まれており、他方のくぼみに、上記くぼみの混合に応じて、１回分の適用量である２５〜１００ｍｍｏｌの過酸化水素あるいは２５〜５００ｍｍｏｌのナトリウム化合物が含んでいる、少なくとも２つのくぼみが設けられた１つのブリスター包装を有している。
（２）上記の３つの構成成分が予め混合された混合物が含まれた少なくとも１つのくぼみが設けられた少なくとも１つのブリスター包装を有することを特徴とする現場キット。
【請求項１９】
少なくとも１回分の適用量が錠剤の形状となっていることを特徴とする請求項９ないし請求項１８のいずれか１項に記載の現場キット。
【請求項２０】
上記の３つの構成成分の１回分の適用量が、個々の錠剤の形状となっていることを特徴とする請求項８ないし請求項１９のいずれか１項に記載の現場キット。
【請求項２１】
請求項９ないし請求項２０のいずれか１項に記載の現場キットであって、
ＮａＯＨの存在が原因による湿性顆粒の形成を回避するために、上記１回分の適用量には、さらに、錠剤の直接粉砕を容易にする、ラクト−ス、セルロース、カルシウムリン酸塩といった賦形剤が含まれており、
またさらに、錠剤の粉末化を容易にする、クロスカルメローセやエクスプロタブといった賦形剤を含んでいることを特徴とする現場キット。
【請求項２２】
上記ルミノール化合物がルミノールであることを特徴とする請求項９ないし請求項２１のいずれか１項に記載の現場キット。
【請求項２３】
請求項９から請求項２２のいずれか１項に記載の現場キットであって、
上記３つの構成成分であるルミノールと、ナトリウム化合物と、過酸化水素とが、早期に反応してしまうことなく、かつ、互いに相溶性があるように、それぞれ単一の予備混合体として形成されており、これにより、これらを１つの容器に共に封入することができることを特徴とする現場キット。
【請求項２４】
請求項１ないし請求項５のいずれか１項に記載の合成物質の再構成方法であって、
請求項９ないし請求項２３のいずれか１項に記載の現場キットの容器から、
１回分の適用量のルミノール化合物と、１回分の適用量のナトリウム化合物と、１回分の適用量の過酸化水素とを、あるいは、
１回分の適用量のルミノール化合物とナトリウム化合物との混合物と、１回分の適用量の過酸化水素とを取り出して、水に希釈する工程を含むことを特徴とする手順。
【請求項２５】
視界が悪い条件下において、傷ついたあるいは打ち倒された動物を検出し、その位置を特定する方法であって、
請求項１ないし請求項５のいずれか１項に記載の合成物質、あるいは、請求項２４に記載の方法によって得られた合成物質を、動物が通りすぎたであろうと推測される場所に噴霧する工程を含んでおり、上記合成物質と、追われた動物が残した血痕との接触によって、発光反応を起こすことを特徴とする検出および位置特定方法。
【請求項２６】
視界が悪い条件下において、犯罪現場あるいは事件現場における人間の血痕を検出し、その位置を特定する方法であって、
請求項１ないし請求項５のいずれか１項に記載の合成物質、あるいは、請求項２４に記載の方法によって得られた合成物質を上記の現場に噴霧する工程を含んでおり、上記合成物質と人間の血痕との接触によって発光反応を起こすことを特徴とする検出および位置特定方法。
【発明の詳細な説明】
【発明の詳細な説明】
【０００１】
本発明は、人間あるいは動物の血痕を検出するために設計された合成物質に関し、当該合成物質を調製するための現場キットおよび方法も含まれる。本発明は、さらに、人間あるいは動物の血痕の検出方法および、その位置を特定するための方法も含まれる。
【０００２】
化学発光によって、人間および動物の血痕を検出し、存在場所を特定する方法は、すでに十分に確立され、文書化されている。
【０００３】
ここで、発光とは、熱作用による誘発されるものを除く、紫外線域、可視光線域あるいは赤外域における電磁光線の発光現象の総称である。
【０００４】
ある種の発光団分子は、励起状態に置かれた後に基底状態に戻る段階でいわゆる「冷光」と呼ばれる光を発光する特性を有する。この現象は様々な手法によって引き起こされ、分子を励起状態に至らしめるエネルギー源の性質に応じて、様々な型の発光が定義される。
【０００５】
化学発光は、化学反応によって直接あるいは間接的に生成される光の発光を意味する。一般的には、化学発光反応は、酸化過程によって生じるものが多い。
【０００６】
人間あるいは動物の血液を検出するために、一般的に最も使用される化学発光化合物は、ルミノール（５アミノ−２，３ジヒドロ−１，４フタラジンジオン）であるが、他の多くのルミノール化合物も同様に使用される。
【０００７】
水溶液中においては、ルミノールの化学発光反応は、酸化の機構とアルカリ環境化を必要とする(White E.H. & Roswell, D.F. 1985. Luminol chemiluminescence. Chemi-and Bioluminescence (Burr, J.G., ed.), Marcel Dekker, New York, pp. 215-244)。
【０００８】
ルミノールの酸化は、励起状態においてイオンアミノフタレートを形成する。このイオンアミノフタレートは、発光によって基底状態に戻る。
【０００９】
この反応における量子効率収量は微弱（約０．０１）で、発光スペクトルは最大４３０ｎｍ（明るい青色）を示す(White, E.H. & Roswell, D.F. 1985. Luminol chemiluminescence. Chemi-and Bioluminescence (Burr, J.G., ed.), Marcel Dekker, New York, pp. 215-244)。
【００１０】
上記の発光反応において、触媒として作用することができる主要な化合物としては、遊離あるいは複合状態での遷移金属（Ｃｒ３＋、Ｍｎ４＋、Ｆｅ２＋、Ｆｅ３＋、ＣＯ２＋、Ｎｉ２＋、Ｃｕ２＋、Ｈｇ２＋）と、へミンと、ペルオキシタ−ゼ（例えば、ワサビから抽出された酵素）とがある。
【００１１】
へミンは、ペルオキシタ−ゼの不可欠な部分を形成する特殊な生化学構造である。この構造は、ヘモグロビンにも同様に存在する。ヘモグロビンとは、血液中の酸素の輸送タンパク質であるとともに、血液中の二酸化炭素の一部の輸送タンパク質でもある。
【００１２】
したがって、ルミノールの化学発光を触媒するへミンの能力を活用することによって、ヘモグロビンの存在、つまり血液の存在を明らかにすることができる。
【００１３】
すなわち、ルミノールと、酸化剤と、アルカリ（塩基）性物質（agent alcalin）との混合物質（合成物質）は、血液と接触すると発光するということである。
【００１４】
すでに６０年以上前に、この種の合成物質を用いて血液の有無を調査する方法は、犯罪および法廷取り調べにおける手段としての血痕検出用の実証的補助として提案されていた。
【００１５】
１９３７年、Specht, W.のThe Chemiluminescence of hemin: an aid for finding and recognizing blood stains important for forensic purposes. Angewande Chemie, 10, 155-157において、初めて、犯行現場での血液の有無を犯罪および法廷取り調べにおける証拠として示することが提案された。上記の場合、以下のような組成の合成物質を用いている。すなわち、この合成物質は、０．１重量部（0.1 partie en poids）のルミノールと、アルカリ性物質としての３重量部の炭酸ナトリウムと、酸化剤としての１５重量部の過酸化水素とを含んでいる。なお、この過酸化水素は、蒸留水１００重量部中に３０％濃度になるように希釈されたものである。
【００１６】
The Chemiluminescence of hemin: an aid for finding and recognizing blood stains important for forensic purposes. Angewande Chemie, 10, 155-157（１９３７年、Specht, W.著）では、乾燥した血痕に対して上記の組成を有した反応剤（合成物質）を加えた場合の発光反応の感度について研究・提示している。この際、さらに、血痕を１：２，０００の比率で希釈した場合のものについても、その発光反応の感度を研究・提示した。
【００１７】
Detection of blood by means of chemiluminescence. Journal of Laboratory Clinical Medicine., 24, 1183-1189,（１９３９年、Proescher, F.および Moody, A.M.著）において、また、The Chemiluminescence of hemin: an aid for finding and recognizing blood stains important for forensic purposes. Angewande Chemie, 10, 155-157（１９３７年、Specht, W.）において、日光や雨にさらされたチケットおよび小枝中の血液の測定を行ったこと、また、このような多様な条件下であっても化学発光反応が発現することを指摘した。
【００１８】
Proescher, F.および Moody, A.M.は、The Chemiluminescence of hemin: an aid for finding and recognizing blood stains important for forensic purposes. Angewande Chemie, 10, 155-157（１９３７年、Specht, W.）に記載された合成物質を用いて、１：１，０００，０００の比率まで希釈した動物および人間の血液に対して調査したところ、動物および人間の両方の場合において化学発光が起きたことを実証した。
【００１９】
Simplified preliminary blood testing. An improved technique and comparative study of methods. Journal of the America Institute of Criminal Law and Criminalogy, 42, 95-104（１９５１年、Grodsky, M.、Wright, K.、Kirk, P.L.著）では、過酸化水素を酸化剤として使用する場合、ルミノールの感度およびその反応性が非常に制御しにくいことに注目し、過ホウ酸塩酸化剤の使用を提案した。さらに、上記ルミノールと、過ホウ酸塩酸化剤と、アルカリ性物質としての炭酸ナトリウムとを、それぞれ別の容器に独立して入れた現場キットも提案した。この現場キットには、プラスチックおよびガラスの気化手段、フィルター紙、蒸留水が入った瓶、暗闇の中で反応物質を混ぜることができるようにする懐中電灯、血痕あるいは他の微小な証拠を持ち運ぶためのプラスチック容器などの付属品も含まれていた。
【００２０】
Simplified preliminary blood testing. An improved technique and comparative study of methods. Journal of the America Institute of Criminal Law and Criminalogy, 42, 95-104（１９５１年、Grodsky, M.、Wright, K.、Kirk, P.L.著）では、体積比率１：５，０００，０００という非常に希薄に希釈された血液に対するルミノールを用いた化学発光反応を最適化することに成功した。
【００２１】
Detection of blood by means of chemiluminescence. Journal of Laboratory Clinical Medicine., 24, 1183-1189,（１９３９年、Proescher, F.およびMoody, A.M.著）では、さらに、Simplified preliminary blood testing. An improved technique and comparative study of methods. Journal of the America Institute of Criminal Law and Criminalogy, 42, 95-104（１９５１年、Grodsky, M.、Wright, K.、Kirk, P.L.著）では、まず塩化水素酸（塩酸）をその場所に噴霧することを薦めている。これによって、ヘモグロビンを分解し、測定感度を高めることができる。
【００２２】
Die Anweldung der Chemiluminescenz des Luminols in der Gerichtlichen Medizin und Toxicologie. I. Der Nachweis von Blutspuren. Deutsche Zeitschrift fuer die gesamte Gerichtliche Medizin, 57, 410-423（１９６６年、Weber, K.）では、炭酸アルカリ性物質を用いることによって引き起こされるのは、ヘモグロビン酸化反応の速度低下だけであるという事実と、またこのため、この炭酸アルカリ性剤が使用されたときの発光は発光が非常に弱いものであったという事実とが明らかになった。よって、水酸化ナトリウムをアルカリ性物質として使用することが提案された。また、同文献では、The Chemiluminescence of hemin: an aid for finding and recognizing blood stains important for forensic purposes. Angewande Chemie, 10, 155-157（１９３７年、Specht, W.）に記載されている試薬中で使用されたルミノールおよび過酸化水素の濃度は非常に高濃度であり、試薬の濃度に関連するルミノール反応において濃縮抑止を引き起こして化学発光が消滅することによって、血痕の立証において著しい低下を引き起こすと指摘している。さらに同文献では、１：２０，０００，０００の比率まで希釈して乾燥した血液、あるいは新鮮な血液の痕跡（血痕）を検出するための合成物質として、蒸留水に希釈した０．４ｍｍｏｌ／Ｌのルミノールと、１７．６ｍｍｏｌ／Ｌの過酸化水素と、４５ｍｍｏｌ／Ｌの水酸化ナトリウムあるいは水酸化カリウムとからなる合成物質が提案されている。
【００２３】
Grispino, R.R.J.は、１９９０年、The effects of luminol on serological analysis of dried blood stains Crime Laboratory Digest, 17(1), 13-23（１９９０年、Grispino, R.R.J.）では、数日間乾燥させた血痕および新鮮な血痕であって、１：１０，０００から１：１００，０００まで希釈した血痕を検出するための合成物質として以下の組成のルミノール化合物を使用することを提案している。すなわち、このルミノール化合物は、蒸留水で希釈した５．６ｍｍｏｌ／Ｌのルミノールと、４７２ｍｍｏｌ／Ｌの炭酸カリウムあるいは炭酸ナトリウムと、１００ｍｍｏｌ／Ｌの過酸化水素Ｈ２Ｏ２とを含むものである。
【００２４】
上述した全ては、過去長い間にさかのぼって、犯罪場面における血痕の検出の目的で、ルミノールを含む合成物質をアルカリ物質および酸化物質と組み合わせて利用されてきたことを示すものである。
【００２５】
本発明では、酸化剤として過ホウ酸ナトリウムよりも過酸化水素を使用することが提案される。その理由としては、過ホウ酸ナトリウムは水に難溶性であるとともに、合成物質の気化（噴霧）を妨げるからである。同様に、アルカリ性物質として、炭酸塩の合成物質よりも水酸化ナトリウムあるいは水酸化カリウムの使用が提案される。その理由は、炭酸塩を使った場合のルミノールの酸化反応は、水酸化物を使った場合に比べて非常に遅く、したがって、発光の強度が弱いためである。
【００２６】
Die Anweldung der Chemiluminescenz des Luminols in der Gerichtlichen Medizin und Toxicologie. I. Der Nachweis von Blutspuren. Deutsche Zeitschrift fuer die gesamte Gerichtliche Medizin, 57, 410-423（１９６６年、Weber, K.）では、上記のタイプの合成物質ではあるが、ルミノールおよび過酸化水素の量が多すぎると、ルミノール反応における抑止を生み出し、これにより化学発光が消え、血痕の立証の著しい低下につながったということから、ルミノールと過酸化水素を少量しか含まない合成物質を提案した。
【００２７】
さらに、米国特許５，７７０，１１６号及び５，８３３，８８７号において、Bryneは、明るさが欠けてよく見えない条件における狩猟場において、傷ついた狩猟獣が失った血の痕跡を検出するために、ルミノールの化学発光を使用することを提案した。
【００２８】
この目的のため、Byrneは、米国特許５，７７０，１１６号および５，８３３，８８７号において、酸化剤として過ホウ酸ナトリウム、およびアルカリ物質として炭酸ナトリウムをルミノールに加えた合成物質の使用を提案した。
【００２９】
しかしながら、この組成の合成物質では、過ホウ酸ナトリウムと炭酸ナトリウムとを使用することによって、上述したような、問題が生じる。
【００３０】
すなわち、血液とルミノールとの反応によって発せられる光が十分顕著ではないため、狩猟者が、特に、真っ暗闇ではないが、日暮れ時のように光が少なくなってきている条件下で、追っている獣の残した血痕を探すのは難しくなる。
【００３１】
さらに、過去の測定では、すべて非常に希薄に希釈された血液サンプルにおいて行われていた。
【００３２】
本発明の目的は、過去の合成物質に存在していた問題を減らし、実際的な条件および環境において適用することができる合成物質を提案することにある。つまり、純粋な血痕がわずかである場合であっても、また、真っ暗闇のみではなく、日暮れ時の拡散した光に相当するような光が弱まっていくような条件下であっても、血液を、即座に、かつ、十分に明るい光の強度で見つけることができるようにすることである。この目的のために、本発明は、人間あるいは動物の血液を検出するための以下のような合成物質を提案している。すなわち、本発明の合成物質は、好適な水溶液に希釈した、ルミノールの化合物と、酸化剤と、塩基性物質とからなる合成物質であり、具体的には、ルミノール化合物が最終合成物質中に１から２０ｍｍｏｌ／Ｌ量含まれるように、また、酸化剤として過酸化水素を用い、これを最終合成物質中に２５〜１００ｍｍｏｌ／Ｌの濃度で含まれるように、さらに、塩基としてナトリウム化合物（ＮａＯＨ）を用い、これを最終合成物質中に２５〜５００ｍｍｏｌ／Ｌの濃度で含まれるような合成物質を提案している。
【００３３】
この化学式の応用が有用に実現されるために、ルミノール化合物は、１〜１０ｍｍｏｌ／Ｌ、望ましくは約５ｍｍｏｌ／Ｌの濃度で含まれる。
【００３４】
さらに、多くの応用において、ナトリウム化合物（ＮａＯＨ）の量を２５〜１５０ｍｍｏｌ／Ｌに制限することが有用である。
【００３５】
以下に述べるように、合成物質のｐＨを約１１．５未満に抑えることが望ましい。
【００３６】
もちろん、各構成成分の濃度は他の使用される構成成分の濃度と関連して決められることは、当業者にとっては十分理解されるものである。
【００３７】
同様に、明細書と特許請求の範囲において使用される「ルミノール化合物」という名称は、ルミノール以外にも、そのすべての前駆化合物、ルミノール由来のすべての化合物を意味しており、例えば、アルキル、とりわけメチル、アミン、ヒドロキシルなどの少なくとも１つの置換しているルミノールの置換体を調製したもので、ルミノールにより生じるタイプの化学発光を生成することができる化合物も含まれる。これらの化合物の例としては、ジエチルイソルミノールおよびアミノブチルエチルイソルミノールがある。
【００３８】
しかしながら、ルミノール化合物はルミノールからなるものであることが望ましい。
【００３９】
第１の調製によれば、ナトリウム化合物（ＮａＯＨ）が、最終合成物質中に約９０ｍｍｏｌ／Ｌの濃度で含まれることが好ましい。
【００４０】
第２の調製によれば、ナトリウム化合物（ＮａＯＨ）が、最終合成物質中に２５〜５０ｍｍｏｌ／Ｌの濃度で含まれることが好ましい。
【００４１】
すべての場合において、水溶液は水であるべきであり、最高の結果を得るためには非炭酸水であることが望ましい。
【００４２】
本発明の別の目的は、人間あるいは動物の血痕を検出するための上記合成物質の使用にある。
【００４３】
第１の調製により規定された合成物質は、とりわけ、狩猟における動物の血痕の検出用に好適である。
【００４４】
第２の調製により規定された合成物質は、とりわけ、犯罪あるいは事故現場における人間の血痕の検出用に好適である。
【００４５】
同様に、本発明は、この合成物質の調製のために設計された現場キットも提案する。第１の好適な現場キットは、
−少なくとも１回分の適用量である１〜２０ｍｍｏｌ量のルミノール化合物が含まれている第１の容器と、
−少なくとも１回分の適用量である２５〜１００ｍｍｏｌの過酸化水素が含まれている第２の容器と、
−少なくとも１回分の適用量である２５〜５００ｍｍｏｌのナトリウム化合物（ＮａＯＨ）が含まれている第３の容器とからなる。
【００４６】
第１の変形例では、本発明のキットとして第１に選択された形態は、上記第１の調製によって規定された合成物質に対して適用されるものであって、
−少なくとも１回分の適用量であるルミノール化合物が含まれており、当該ルミノール化合物は、ルミノールが１〜１０ｍｍｏｌの供給されている第１の容器と、
−少なくとも１回分の適用量である２５〜１００ｍｍｏｌの過酸化水素が含まれた第２の容器と、
−少なくとも１回分の適用量である２５〜１５０ｍｍｏｌのナトリウム化合物（ＮａＯＨ）が含まれた第３の容器とからなる。
【００４７】
第２の変形例では、本発明の現場キットとして、第１に選択した処方は、上記第２の調製によって規定された合成物質に対して適用されるものであって、とりわけ犯罪現場における使用のためのものであり、この現場キットは、
−少なくとも１回分の適用量である、約５ｍｍｏｌのルミノール化合物が含まれた第１の容器と、
−少なくとも１回分の適用量である約５０ｍｍｏｌの過酸化水素を含む第２の容器と、
−少なくとも１回分の適用量である、２５〜５０ｍｍｏｌのナトリウム化合物（ＮａＯＨ）が含まれている第３の容器とを備えるものである。
【００４８】
好適な第２形態としては、発明の仕様に適する合成物質の調製用の現場キットであって、
−少なくとも１回分の適用量である、１〜２０ｍｍｏｌを供給するのに十分な量の上記ルミノール化合物と、２５〜５００ｍｍｏｌのナトリウム化合物（ＮａＯＨ）あるいは２５〜１００ｍｍｏｌの過酸化水素とが予め混合され固形の相溶形状（sous forme compatible solide）で含まれている第１の容器と、
−上記第１の容器における混合に応じて、少なくとも１回分の適用量である、２５〜１００ｍｍｏｌの過酸化水素あるいは２５〜５００ｍｍｏｌのナトリウム化合物が含まれている第２の容器とからなる。
【００４９】
望ましくは、本発明の仕様に適用できる合成物質の調製用の上記キットは、
−少なくとも１回分の適用量である、１〜２０ｍｍｏｌを供給するのに十分な量のルミノール化合物と、２５〜１５０ｍｍｏｌのナトリウム化合物（ＮａＯＨ）あるいは２５〜１００ｍｍｏｌの過酸化水素とが予め混合され固形の相溶形状で含まれている第１の容器と、
−上記第１の容器における混合に応じて、少なくとも１回分の適用量である、５０ｍｍｏｌの過酸化水素あるいは２５〜１００ｍｍｏｌのナトリウム化合物が含まれている第２の容器とからなる。
【００５０】
固形の過酸化水素は市場で入手可能である。具体的には、尿素付加物として、錠剤あるいは粉末の形態の「尿素アダクト（Urea Adduct）」とよばれるSIGMA-ALDRICH製のものが存在することが知られている。
【００５１】
上述の代わりに、上記キットは、
−少なくとも１回分の適用量である、約５ｍｍｏｌのルミノール化合物と、２５〜５０ｍｍｏｌあるいは９０ｍｍｏｌのナトリウム化合物（ＮａＯＨ）、もしくは５０ｍｍｏｌの過酸化水素とが予め混合され、固形の相溶形状で含まれている第１の容器と、
−上記第１の容器における混合に応じて、少なくとも１回分の適用量である、５０ｍｍｏｌの過酸化水素もしくは、２５〜５０ｍｍｏｌあるいは９０ｍｍｏｌのナトリウム化合物（ＮａＯＨ）が含まれている第２の容器とからなる。
【００５２】
さらなる本発明の好ましい形態によれば、本発明の３つの主要な構成成分を、１回の予備混合で製剤化することも可能である。早期に反応してしまうことなくこれら３化合物を混和（相溶）させる製剤化技術は、当業者にとっては周知の技術である。これにより、３つの構成成分を１つの容器に共に含めることができる。すなわち、早期に反応を回避するためのある種の包含技術が、良く知られている。このように、本発明は、１つの容器内で混合される本発明における３つの基本的な構成成分の形態に関するものでもある。
【００５３】
全ての場合において、本発明によるキット各々の容器（上記第１および第２の容器）は、プラスチックあるいはガラスから成る再封可能なものであることが望ましい。
【００５４】
これらの容器は、１回分の適用量を粉末状で含んだ小袋であっても良い。
【００５５】
さらに、容器の少なくとも１つ、あるいは全ての容器が、少なくとも１つのブリスター包装内に設けられたくぼみ（alve´ole）によって形成されていることが好ましい。
【００５６】
また、本発明のキットは、以下の構成であることがより好ましく。すなわち、少なくとも３つのくぼみを有する少なくとも１つのブリスター包装を有し、上記くぼみのうちの１つには、１回分の適用量である１〜２０ｍｍｏｌを供給するのに十分な量のルミノール化合物が含まれており、３つのくぼみのうちの別のくぼみには、１回分の適用量である２５〜５００ｍｍｏｌのナトリウム化合物（ＮａＯＨ）が含まれており、３つのくぼみのうちの第３のくぼみには、１回分の適用量である２５〜１００ｍｍｏｌの過酸化水素が含まれている。
【００５７】
これに替えて、本発明によるキットは、一方のくぼみに、１回分の適用量である１〜２０ｍｍｏｌを供給するのに十分な量のルミノール化合物と、２５〜５００ｍｍｏｌのナトリウム化合物ＮａＯＨあるいは２５〜１００ｍｍｏｌの過酸化水素とが、予め混合され、固形の相溶形状となって含まれており、他方のくぼみに、上記くぼみの混合に応じて、１回分の適用量である２５〜１００ｍｍｏｌの過酸化水素あるいは２５〜５００ｍｍｏｌのナトリウム化合物が含んでいる、少なくとも２つのくぼみが設けられた１つのブリスター包装を有している。
【００５８】
第３の変形例においては、上記キットが、上記の３つの構成成分が予め混合された混合物が含まれた少なくとも１つのくぼみが設けられた少なくとも１つのブリスター包装を有している。
【００５９】
本発明によるキットのすべての変形例において、少なくとも１回分の適用量が錠剤の形態となっていることが望ましい。
【００６０】
また、本発明のキットにおいては、ルミノール、過酸化水素、ナトリウム化合物それぞれの１回分の適用量が、個々の錠剤の形態をしていることが望ましい。
【００６１】
上記のすべての場合に、有用な用途としては、夫々の１回分の適用量はさらに錠剤の直接粉砕や粉末化を容易にする賦形剤を含むものであってもよい。
【００６２】
本発明はさらに、上記合成物質再構成する方法について提案している。すなわち、この再構成方法は、１回分の適用量のルミノール化合物と、１回分の適用量のナトリウム化合物と、１回分の適用量の過酸化水素とを、本発明のキットの容器から取り出し、水に希釈するという工程を含むものである。
【００６３】
また、本発明は、傷ついたあるいは打ち倒された動物を、視界が悪い条件下において探して位置を特定するための方法も提案している。この方法は、本発明に記載された合成物質、あるいは、本発明に記載されている再構成する方法によって得られる合成物質が気化するという特徴に基づいて行われる方法である。このような気化は、動物が通ったであろうと考えられる領域において行われ、上記の合成物質と追われた動物の血痕が接触することにより発光反応を起こす。
【００６４】
同様に、本発明のもう１つの目的は、犯罪現場において血痕を探し、存在位置を特定するための方法である。この方法は、本発明に記載された合成物質、あるいは、本発明に記載されている再構成する方法によって得られる合成物質が気化するという特徴に基づいて行われる方法である。このような気化は、犯罪の場面において行われ、上記の合成物質と人間の血痕が接触することにより発光反応を起こす。
【００６５】
本発明は、以下の発明の詳細な説明によってより理解できるようになる。また、本発明の他の目的、詳細あるいは効果についても、以下の説明により明確になる。
【００６６】
本発明では、人間あるいは動物の血痕、新鮮な血液あるいは乾燥した血液、洗い落とされたあるいは洗い落とされない血痕を、望ましくは水溶液に希釈した合成物質を用いることによって、迅速かつ効果的に発見することができるという驚くべき効果を得た。この合成物質とは、１〜２０ｍｍｏｌ／Ｌのルミノール化合物と、酸化剤として作用する２５〜１００ｍｍｏｌ／Ｌの過酸化水素（Ｈ２Ｏ２）と、アルカリ物質としての２５ｍｍｏｌ／Ｌ〜５００ｍｍｏｌ／Ｌのナトリウム化合物（ＮａＯＨ）とからなるものである。
【００６７】
この合成物質において、１〜２０ｍｍｏｌのルミノール化合物の濃度、望ましくは１〜１０ｍｍｏｌ／Ｌの濃度を採用すれば、ルミノール化合物の使用を多くすることなく、最適な光強度を得られることが明らかである。
【００６８】
実際、最終合成物質中に、２５から５００ｍｍｏｌ、好ましくは２５から１５０ｍｍｏｌ、より好ましくは約９０ｍｍｏｌ／Ｌの水酸化ナトリウム（ＮａＯＨ）と、２５から１００ｍｍｏｌ／Ｌの過酸化水素（Ｈ２Ｏ２）とを使用すれば、ルミノールの化合物の濃度に応じて光強度は上昇する。実際には、１０〜２０ｍｍｏｌ／Ｌのルミノール化合物で最高レベルに達する。しかしながら、本発明の説明によれば、より低い濃度の場合、とりわけルミノール化合物が５ｍｍｏｌ／Ｌである場合にも、光強度が最大で９３％に到達できたということは予想外であった。
【００６９】
酸化剤として過酸化水素Ｈ２Ｏ２が選択された理由は、手ごろな価格で入手可能である以外に、Grispino, R.R.J.著「The effects of luminol on serological analysis of dried blood stains Crime Laboratory Digest, 17(1), 13-23,」の記載に基づくものである。この記載とは、過ホウ酸塩酸化剤の使用は、水あるいは水溶液に容易に溶けないので、溶液の気化が妨げられ、実質的に役にたたないというものである。
【００７０】
さらに驚くべき効果として、過酸化水素を使用することによって、最高度の光強度が得られることが明らかになった。
【００７１】
発明をより理解しやすくするために、以下にいくつかの実施形態を記述する。しかしながら、それらは、一例を説明したものであり、発明を網羅するものではなく、制限するものでもない。実施例１から実施例４までは、本発明の一部であり、特許請求の範囲に属するものである。本発明の他の実施例で同等の結果をもたらすのは、以下の２つの場合である。すなわち、
−１０〜２０ｍｍｏｌ／Ｌのルミノール化合物と、約４０ｍｍｏｌのＮａＯＨと、約５０ｍｍｏｌのＨ２Ｏ２とを含む合成物質。
−約５ｍｍｏｌ／Ｌのルミノール化合物と、５０ｍｍｏｌ／ＬのＨ２Ｏ２と、約１２０ｍｍｏｌ／ＬのＮａＯＨとを含む合成物質。
【００７２】
〔実施例１〕
本発明により調製される合成物質は、５ｍｍｏｌ／Ｌのルミノールと、５０ｍｍｏｌ／ＬのＮａＯＨと、５０ｍｍｏｌ／ＬのＨ２Ｏ２とからなり、これを１リットルの蒸留水に希釈したものが使用された。次に、この合成物質を、以下の３種類のサンプル上に噴霧した。
−１：１，０００，０００の比率で希釈された羊の血液（すなわち、羊の血液を１，０００，０００倍希釈したもの）、および、１：１００，０００の比率で希釈された羊の血液。
−羊の純粋な鮮血（すなわち、希釈されていない鮮血）。
−羊の純粋な乾燥血液。
【００７３】
合成物質のｐＨを測定した。当該合成物質と上述の様々なサンプルとの間の反応中に得られる光強度をは、以下の手順に従って測定した。
【００７４】
希釈された血液のサンプルに関しては、光強度の測定は、ルマックコーポレーション（Lumac corporation）が製造販売している照度計ＬＵＭＡＣ  モデル  Biocounter M２５００を使用して行われた。この装置を改造して、光電子倍増管ＨＡＭＡＭＡＴＳＵに適合させ、任意の単位で光の強度を記録する記録装置に接続させた。これは、照度測定の専門家にとって一般的なやり方で行われた。
【００７５】
純粋な鮮血のサンプル、あるいは純粋な乾燥血液のサンプルに対する光強度の測定に関しては、ＦＵＪＩＦＩＬＭ製造のＣＣＤカメラであるＬＡＳ−１０００モデルを使用し、このカメラを最高の光の強度と反応時間とを自動的に記録するためのソフトウェア処理装置を搭載したコンピュータに接続した。
【００７６】
上記合成物質と、それぞれのサンプルとの間の反応時間は、以下の方法により測定された。
【００７７】
希釈された血液サンプルを用いて、照度計に接続された記録装置によって記録される光強度の曲線に沿って、光の強度が最高値に達したときに反応の完了とした。一方、純粋な血液のサンプルの場合では、コンピュータが出した値を採用することもできる。表１からわかるように、本発明の本実施例１では、純粋な鮮血および純粋な乾燥血液のサンプルでは、合成物質を噴霧して４０秒後に光強度が最高値に達した。
【００７８】
この測定の結果は、以下の表１に要約される。
【００７９】
〔実施例２〕
本発明に係る合成物質は、５ｍｍｏｌ／Ｌのルミノールと、９０ｍｍｏｌ／ＬのＮａＯＨと、５０ｍｍｏｌ／ＬのＨ２Ｏ２とからなり、これを、１リットルの蒸留水に希釈して調製した。
【００８０】
上記実施例１の測定方法と同じ測定方法に従って測定した。
【００８１】
これらの測定結果は、以下の表１に要約される。
【００８２】
〔実施例３〕
本発明に係る合成物質は、５ｍｍｏｌ／Ｌのルミノールと、２５ｍｍｏｌ／ＬのＮａＯＨと、５０ｍｍｏｌ／ＬのＨ２Ｏ２とからなり、これを、１リットルの蒸留水に希釈して調製した。
【００８３】
上記実施例１の測定方法と同じ測定方法に従って測定した。
【００８４】
これらの測定結果は、以下の表１に要約される。
【００８５】
〔実施例４〕
本発明に係る合成物質は、５ｍｍｏｌ／Ｌのルミノールと、４０ｍｍｏｌ／ＬのＮａＯＨと、５０ｍｍｏｌ／ＬのＨ２Ｏ２とからなり、１リットルの蒸留水に希釈して調製した。
【００８６】
上記実施例１の測定方法と同じ測定方法に従って測定した。
【００８７】
これらの測定結果は、以下の表１に要約される。
【００８８】
〔比較例１〕
比較のために、５ｍｍｏｌ／Ｌのルミノールと、１０ｍｍｏｌ／ＬのＮａＯＨと、５０ｍｍｏｌ／ＬのＨ２Ｏ２とからなる合成物質を調製し、これを、１リットルの蒸留水に希釈した。
【００８９】
本比較例においても、上記実施例１の測定方法と同じ測定方法に従って測定した。
【００９０】
これらの測定結果は、以下の表１に要約される。
【００９１】
〔比較例２〕
従来において合成物質で、Grispino, R.R.J.著「The effects of luminol on serological analysis of dried blood stains Crime Laboratory Digest, 17(1), 13-23」において記載された合成物質を調製した。この合成物質は、５．６ｍｍｏｌ／Ｌのルミノールと、４７２ｍｍｏｌ／ＬのＮａ２ＣＯ３と、１００ｍｍｏｌ／ＬのＨ２Ｏ２とからなり、これを、１リットルの蒸留水に希釈したものを使用した。
【００９２】
本比較例においても、上記実施例１の測定方法と同じ測定方法に従って測定した。
【００９３】
これらの測定結果は、以下の表１に要約される。
【００９４】
〔比較例３〕
Grispino, R.R.J.著「The effects of luminol on serological analysis of dried blood stains Crime Laboratory Digest, 17(1), 13-23」に記載された上記比較例２の合成物質と同じ濃度のルミノールと、Ｈ２Ｏ２と、アルカリ物質とからなる合成物質を調製した。
【００９５】
しかしながら、この合成物質においては、アルカリ物質として、Ｎａ２ＣＯ３の代わりにＫ２ＣＯ３である。
【００９６】
本比較例においても、Ｋ２ＣＯ３が使用される以外は、上記実施例１の測定方法と同じ測定方法に従って測定した。
【００９７】
これらの測定結果は、以下の表１に要約される。
【００９８】
〔比較例４〕
Grodsky, M.と、Wright, K.およびKirk, P.L.著「Simplified preliminary blood testing. An improved technique and comparative study of methods. Journal of the America Institute of Criminal Law and Criminology, 42, 95-104」に記載された、およびByrneにより米国特許５，７７０，１１６号および５，８３３，８８７号に記載された合成物質を調製した。この合成物質は、５．６ｍｍｏｌ／Ｌのルミノールと、４７２ｍｍｏｌ／ＬのＮａ２ＣＯ３と、酸化剤として４５．５ｍｍｏｌ／ＬのＮａＢｏ３とを含む。
【００９９】
本比較例においても、上記実施例１の測定方法と同じ測定方法に従って測定した。
【０１００】
これらの測定結果は、以下の表１に要約される。
【０１０１】
〔比較例５〕
１９６６年、Weber, K.著「Die Anweldung der Chemiluminescenz des Luminols in der Gerichtlichen Medizin und Toxicologie. I. Der Nachweis von Blutspuren. Deutsche Zeitschrift fuer die gesamte Gerichtliche Medizin, 57, 410-423」に記載された合成物質を調製した。この合成物質は、０．４ｍｍｏｌ／Ｌのルミノールと、４５ｍｍｏｌ／ＬのＮａＯＨと、１７．６ｍｍｏｌ／ＬのＨ２Ｏ２とからなり、これを、１リットルの蒸留水に希釈したものを用いた。
【０１０２】
本比較例においても、上記実施例１の測定方法と同じ測定方法に従って測定した。
【０１０３】
これらの測定結果は、以下の表１に要約される。
【０１０４】
〔比較例６〕
合成物質は、０．４ｍｍｏｌ／Ｌのルミノールと、４５ｍｍｏｌ／ＬのＫＯＨと、１７．６ｍｍｏｌ／ＬのＨ２Ｏ２とからなり、１リットルの蒸留水に希釈された。
【０１０５】
この合成物質は、１９６６年、Weber, K.著「Die Anweldung der Chemiluminescenz des Luminols in der Gerichtlichen Medizin und Toxicologie. I. Der Nachweis von Blutspuren. Deutsche Zeitschrift fuer die gesamte Gerichtliche Medizin, 57, 410-423」に記載され、上記比較例５の合成物質に相当するが、本比較例では、ナトリウム化合物（ＮａＯＨ）１を水酸化カリウムに置き換えた。
【０１０６】
本比較例においても、上記実施例１の測定方法と同じ測定方法に従って測定した。
【０１０７】
これらの測定結果は、以下の表１に要約される。
【０１０８】
【表１】
2005524066.tif 000002
【０１０９】
これらの測定の過程において、血液の存在下で攪拌後、水酸化物溶液は、透明な状態のままであり、炭酸塩を含む当該溶液がガスを発生することを確認した。
【０１１０】
表１より、アルカリ物質として、炭酸ナトリウムまたは炭酸カリウムが用いられている場合よりも、水酸化ナトリウムまたは水酸化カリウムが含まれる場合の合成物質が、発光の強度において最高の値を示していることがわかる。
【０１１１】
同様に、純粋な鮮血または純粋な乾燥血液のサンプルに噴霧した場合にも、これらの合成物質が最大の光強度を示すことがわかる。
【０１１２】
表１に結果は報告されていないが、本発明の合成物質、あるいは従来使用されていた合成物質において、水酸化カリウムを含む場合では、血液が希釈されている間に瞬間的(par un flash a` retardement apparaissant)に発光がおこり、これによってアルカリ物質が捨てられる（失われる）こともわかる。
【０１１３】
漂白剤を混ぜた水で洗われ、水ですすがれ、乾かされた後の血液のしみであっても、上記の合成物質を噴霧することによって上記と同じ結果が得られた。
【０１１４】
表１より、本発明の好適な合成物質としては、すなわち、発光という意味において好適な合成物質としては、鮮血、あるいは約３０分外気にさらして乾燥させた血液であっても、５ｍｍｏｌ／Ｌのルミノールと、９０ｍｍｏｌ／ＬのＮａＯＨと、５０ｍｍｏｌ／ＬのＨ２Ｏ２を有する合成物質を水に希釈した場合のものであることも明らかとなった。
【０１１５】
実際、鮮血および、外気にさらされた乾燥血液のどちらにおいても、ＮａＯＨが９０ｍｍｏｌ／Ｌ以上である本発明に好適な合成物質の溶液が、最高レベルの非常に明るい光を誘発（発光）することができた。
【０１１６】
これゆえに、この合成物質であれば、例えば、全くの暗闇ではないが日暮れなどの光が次第に弱まってくる条件下、あるいは満月の夜であっても、傷ついた狩猟獣の血痕を発見することができるため、特に好適である。
【０１１７】
しかしながら、犯罪や事故現場における血痕の検出、その存在位置の特定を、上記のようなｐＨ１２以上の合成物質を用いて行った場合、このようなｐＨ値が原因となって、見つけられた血液のＤＮＡの解読を断念せざる負えない可能性が生じる。
【０１１８】
実際、ｐＨ１２以上においては、ルミノール合成物質によって見つけられた血液は、信頼性があり、かつ再現性のある同定（解読）のためのＤＮＡ分析ができるという補償はできない。
【０１１９】
すなわち、ｐＨ１２以上のルミノール合成物質で「処理された」血液のＤＮＡは劣化してしまう。
【０１２０】
一方、５ｍｍｏｌ／Ｌのルミノールと、５０ｍｍｏｌ／ＬのＨ２Ｏ２と、２５から５０ｍｍｏｌのＮａＯＨとからなる本発明の合成物質であって、ｐＨが約１１．５より低い場合は、信頼性のある、かつ再現性のあるＤＮＡ分析を行うことができる。このことは、国家警察犯罪捜査協会（Institut de Recherche Criminelle de la Gendarmerie National (IRCGN)）によって確認されている。
【０１２１】
ＮａＯＨ濃度が２５ｍｍｏｌ／Ｌ未満であるの合成物質を用いた場合における発光の光強度は、上述した今までの合成物質によって得られる発光の光の強度とほぼ同じである。
【０１２２】
これにより、犯罪捜査において用いる場合に好適な本発明の合成物質としては、５ｍｍｏｌ／Ｌのルミノールと、５０ｍｍｏｌ／Ｌの過酸化水素と、２５〜５０ｍｍｏｌ／ＬのＮａＯＨとからなる合成物質を水に希釈したものであって、ｐＨが最高でも約１１．５である合成物質であることが好ましい。
【０１２３】
すなわち、ＮａＯＨ（ナトリウム化合物）濃度は、最終溶液のｐＨが１２未満になるようにする必要がある。実際、このナトリウム化合物の濃度は、以下に述べるような錠剤を調製するために使われる容器のタイプによって異なり、また、溶液のｐＨを変化させて最終的にｐＨを１２未満とするために多少必要となるナトリウム化合物の量によって変化する。
【０１２４】
本発明の合成物質における別の効果として、合成物質の溶解させることができる、様々な組成を有した水溶性環境下において希釈できるという点にある。なお、この場合、反応を阻害する傾向があるため、海水、炭酸ガス水は例外とする。
【０１２５】
これに関して、湖水、川の水、池の水、プールの水、こぼれた水、蒸留水、水道水に発明の合成物質を希釈されて測定したが、いずれの場合にも上記した効果が損なわれることはなかった。
【０１２６】
本発明による合成物質は、過去の合成物質と同様の方法で使用されるべきであるので、本発明の合成物質は、水に希釈し、血痕を探索する現場において、スプレー器具を用いて噴霧されることが好ましい。
【０１２７】
すなわち、本発明の合成物質は、溶液の形態で使用されるべきである。
【０１２８】
溶液は、予め調製されて、調製された溶液を血痕が探索される場所に運んでもよい。また、合成物質のそれぞれの構成成分を個々の容器に固体形態として入れて運び、その場で調製してもよい。
【０１２９】
本発明の合成物質は、非炭酸塩のすべての淡水に希釈されるので、捜査現場に非炭酸塩淡水を十分な量持ち込むことも可能であるし、現場で直接これらのタイプの水を確保することも可能である。
【０１３０】
上述の内容を考慮して、本発明における別の特徴点としては、捜査域に噴霧することができ、人間あるいは動物の血痕を検出し、存在位置を特定することができる溶液の調製に適した現場キットであり、このキットは、すでに記述されあるいは特許請求の範囲において記述されるものである。
【０１３１】
狩猟を目的とする場合に有用となるように、本発明の現場キットは、以下の構成を含むことが好ましい。すなわち、
−少なくとも１回分の適用量である、５ｍｍｏｌのルミノール化合物が含まれた第１の容器と、
−少なくとも１回分の適用量である５０ｍｍｏｌの過酸化水素を含む第２の容器と、
−少なくとも１回分の適用量である、２５〜５０ｍｍｏｌのナトリウム化合物（ＮａＯＨ）が含まれている第３の容器とを有しているキット、あるいは、
−少なくとも１回分の適用量である約５ｍｍｏｌのルミノール化合物と、９０ｍｍｏｌのナトリウム化合物（ＮａＯＨ）、あるいは５０ｍｍｏｌの過酸化水素とが予め混合され、固体の相溶形状で含まれている第１の容器と、
−上記第１の容器における混合に応じて、少なくとも１回分の適用量である、５０ｍｍｏｌの過酸化水素もしくは、９０ｍｍｏｌのナトリウム化合物（ＮａＯＨ）が含まれている第２の容器とを有しているキット、もしくは、
−上記の３つの構成成分が、相溶可能な形態で予め混合されている１つの容器を有しているキット。
【０１３２】
一方、犯罪あるいは事故現場での血痕の探索の際に使用される場合、また、その血痕を後にＤＮＡ分析する必要がある場合は、本発明の現場キットは、以下の構成を含むことが好ましい。
−少なくとも１回分の適用量である５ｍｍｏｌのルミノールあるいはルミノール化合物が含まれている第１の容器と、
−少なくとも１回分の適用量である５０ｍｍｏｌの過酸化水素が含まれている第２の容器と、
−少なくとも１回分の適用量である２５〜５０ｍｍｏｌのＮａＯＨが含まれている第３の容器とからなるキット、あるいは、
−少なくとも１回分の適用量である、５ｍｍｏｌのルミノールあるいはルミノール化合物と、２５〜５０ｍｍｏｌのナトリウム化合物（ＮａＯＨ）、あるいは５０ｍｍｏｌの過酸化水素とが予め混合され、固体の相溶形状で含まれている第１の容器と、
−上記第１の容器における混合に応じて、少なくとも１回分の適用量である、５０ｍｍｏｌの過酸化水素もしくは、２５〜５０ｍｍｏｌのナトリウム化合物（ＮａＯＨ）が含まれている第２の容器とを有しているキット、もしくは、
−上記の３つの組成が、相溶可能な形態で予め混合されている１つの容器を有したキット。
【０１３３】
上述したように、それぞれ容器は、プラスチック、ガラス、磁器あるいはそれ以外の物質よりなる再封可能な容器でもよい。例えば、それぞれの組成を粉末状で含んだ小袋であってもよい。
【０１３４】
また、少なくとも１つの容器、あるいは全ての容器が、少なくとも１つのブリスター包装内に設けられた１つのくぼみによって形成されることが好ましい。
【０１３５】
この場合、第１の変形例として、３つのくぼみを有する少なくとも１つのブリスター包装を有する現場キットであって、くぼみには、本発明による合成物質の組成が別々のくぼみに含まれている。
【０１３６】
この場合、上記くぼみのうちの１つには、１回分の適用量のルミノールあるいはルミノール化合物が含まれており、３つのくぼみのうちの別のくぼみには、１回分の適用量の過酸化水素が含まれており、３つのくぼみのうちの第３のくぼみには、１回分の適用量であるナトリウム化合物が含まれている。
【０１３７】
第２の変形例においては、本発明による現場キットは、一方のくぼみに、１回分の適用量である１〜２０ｍｍｏｌを供給するのに十分な量のルミノール化合物と、２５〜５００ｍｍｏｌのナトリウム化合物ＮａＯＨあるいは２５〜１００ｍｍｏｌの過酸化水素とが、予め混合され、固形の相溶形状となって含まれており、他方のくぼみに、上記くぼみの混合に応じて、１回分の適用量である２５〜１００ｍｍｏｌの過酸化水素あるいは２５〜５００ｍｍｏｌのナトリウム化合物が含んでいる、少なくとも２つのくぼみが設けられた１つのブリスター包装を有している。
【０１３８】
これらの２つの変形例において、１回分の適用量に相当する、ルミノールあるいはルミノール化合物、あるいは当該ルミノール化合物とナトリウム化合物の混合物、あるいは過酸化水素とナトリウム化合物の少なくとも１つが、錠剤の形態で構成されることが好ましい。
【０１３９】
さらに、望ましくは、上記の２つの変形例において、毎回分の用量が錠剤の形態となっていることが好ましい。
【０１４０】
第３の変形例においては、現場キットは、上記の３つの構成成分が予め混合された混合物が含まれた少なくとも１つのくぼみが設けられた少なくとも１つのブリスター包装を有している。しかしながら、この変形例においては、１回分の適用量が錠剤の形態となっていることが好ましい。
【０１４１】
特に、１回分の適用量が錠剤の形態である場合には、錠剤が容易に直接粉砕できるようにする賦形剤をさらに含んでもよい。すなわち、例えば、ＮａＯＨ（ラクト−ス、セルロース、カルシウムリン酸塩他）が存在することによる湿性顆粒化（granulation humid）が起こることを避けることができる。しかしながら、これに限定されるものではない。
【０１４２】
さらに当該分野で知られている、錠剤の溶解を容易にするような賦形剤（クロスカルメローセ(croscarmellose)、エクスプロタブ（explotab）など）を含んでもよい。
【０１４３】
所望の溶液を再構成する、具体的には、本発明の現場キットを用いることによって所望の溶液を再構成するためには、下記（１）および（２）を、水あるいは水溶液に希釈することが必要である。
（１）  １回分の適用量のルミノールかルミノール化合物、あるいは１回分の適用量のルミノール化合物と、ナトリウム化合物か過酸化水素とを予め混合した固形の相溶形状の混合物、および、
（２）  上記混合物に応じた過酸化水素あるいはナトリウム化合物の１回分の適用量。
【０１４４】
もし、ナトリウム化合物あるいは過酸化水素が、１回分の適用量のルミノールかルミノール化合物と混合されていない場合は、１回分の適用量のナトリウム化合物あるいは過酸化水素を、上述したような現場キットの容器から取り出される。また、本発明の３つの構成成分を予め混合した１つの混合物として含めることも可能である。
【０１４５】
視界が悪くなった条件下において、傷ついたあるいは打ち倒された動物を探して、その位置を特定するためには、本発明の合成物質を、おそらくは本発明による現場キットから取り出し、動物が通り過ぎたであろう場所に噴霧する。これにより、動物が残した血痕と合成物質とが接触して発光反応を生じる。
【０１４６】
同様の手順が、犯罪あるいは事故現場における人間の血痕の検出および位置特定に使用される。
【０１４７】
本発明は、上記で説明された適用の方法に限定されるものではなく、ここに説明された利用は、単に一例であって全てを網羅しているものではない。
【０１４８】
それゆえに、上記の実施例ではルミノールのみについて触れたが、すべてのルミノール化合物を使用することができる。すなわち、ルミノールの使用によって、本発明で定義されたような発光と同等の発光を提供することが十分に可能なものであればルミノール化合物であっても本発明に含まれる。これらのルミノール化合物としては、例えば、ジエチルイソルミノールおよびアミノブチルエチルイソルミノールがある。
【０１４９】
すなわち、本発明は、その必要条件に従って行われる限り、上述した形態およびそれらの組み合わせが全て技術的に同等であるとして含むことを意味する。
【国際調査報告】
2005524066.tif 000003
2005524066.tif 000004